(57)【要約】      （修正有）【課題】亡き人の法事等の仏教行事の時に、お墓に立てかけて供養するための板塔婆を使用後に短期間で分解させて廃棄するポリ乳酸樹脂製板塔婆を提供する。【解決手段】法事等の仏教行事に用いる板塔婆１であって、澱粉粉末を主成分とし、該澱粉粉末に乳酸類を添加させて自然界で３ヶ月乃至６ヶ月で分解するポリ乳酸樹脂で板塔婆１を成型したものであり、更に、板塔婆１の表面に木目模様１ａを設けたものであり、更には、澱粉粉末又は乳酸類に木の香り成分を添加したものである。【選択図】図１
0003122610.tif 000002
【実用新案登録請求の範囲】
【請求項１】
法事等の仏教行事に用いる板塔婆であって、澱粉粉末を主成分とし、該澱粉粉末に乳酸類を添加させて自然界で３ヶ月乃至６ヶ月で分解するポリ乳酸樹脂で板塔婆を成型したことを特徴とするポリ乳酸樹脂製板塔婆。
【請求項２】
前記板塔婆の表面に木目模様を設けたことを特徴とする請求項１に記載のポリ乳酸樹脂製板塔婆。
【請求項３】
前記澱粉粉末又は乳酸類に木の香り成分を添加したことを特徴とする請求項１又は請求項２に記載のポリ乳酸樹脂製板塔婆。
【考案の詳細な説明】
【技術分野】
【０００１】
本考案は、法事等の仏教行事の時にお墓の側に立てかける木製の板塔婆に代わるポリ乳酸樹脂製板塔婆に関するものであり、更に詳細には、亡き人の法事等の仏教行事の時にお墓に立てかけて供養するための板塔婆を使用後に短期間で分解させて廃棄するポリ乳酸樹脂製板塔婆に関するものである。
【背景技術】
【０００２】
古来、この種の板塔婆は亡き人の法事等の仏教行事の度にお墓に立てかけて供養をするもので、宗教行事として殆どの宗派において必要欠くべからざるものであり、全国で年間一千万万本前後使用されていると云われているものである。
【０００３】
この板塔婆は木製で大量の木材を消費しており、加えて、法事等の仏教行事の終了後日お炊き上げと云って野焼きで消却されるか、莫大な経費をかけて産業廃棄物として処分されているのが実情である。
【０００４】
その為、宗教者は森林資源の保護或いはダイオキシン等からの環境保全の観点で心痛めているもので、この木製の板塔婆に替わる板塔婆の開発こそが、先祖の供養上重大な意義を持つ塔婆供養を現代に対応させるべく本考案に至ったものである。
【０００５】
例えば、先に開示された、板塔婆を生分解プラスチックを用いたものも開示されており、澱粉粉末、炭酸カルシュウム粉末及び発泡剤を適宜配合した生分解性プラスチックを用いて略３倍程度に発泡させて成型した板材を卒塔婆状に加工形成するか、あるいは、澱粉粉末、炭酸カルシュウム粉末及び発泡剤を適宜配合した生分解性プラスチックを用いて射出成型、押し出し成型等の方法により卒塔婆状に一体成型したもの（特許文献参照１）があり、又、生分解性プラスチック組成物としては、生分解性プラスチック並びに目開き２２０μｍの篩を通過する粒子の含有率が８０質量％以上である小麦フスマ及び／又は末粉を含有する生分解性プラスチック組成物、生分解性プラスチック並びに目開き２２０μｍの篩を通過する粒子の含有率が８０質量％以上で且つ水分含量率が１０質量％以下である小麦フスマ及び／又は末粉を含有する生分解性プラスチック組成物、前記生分解性プラスチック組成物よりなる成形体、並びに前記生分解性プラスチック組成物の層と小麦フスマ及び／又は末粉を含有しない生分解性プラスチックの層を有する積層体（特許文献参照２）等が開示されている。
【特許文献１】特開平１０−１４６２６２号公報
【特許文献２】特開２００２−３６３４３２号公報
【考案の開示】
【考案が解決しようとする課題】
【０００６】
然し乍ら、特許文献１に記載された、澱粉粉末、炭酸カルシュウム粉末及び発泡剤を適宜配合した生分解性プラスチックを用いて略３倍程度に発泡させて成型した板材を卒塔婆状に加工形成するか、あるいは、澱粉粉末、炭酸カルシュウム粉末及び発泡剤を適宜配合した生分解性プラスチックを用いて射出成型、押し出し成型等の方法により卒塔婆状に一体成型したものでは、木製のものより大量生産することで安価に提供することを目的としており、やがては分解されるものの、分解に時間がかかるものである。
【０００７】
又、特許文献参照２に記載されている、生分解性プラスチック並びに目開き２２０μｍの篩を通過する粒子の含有率が８０質量％以上である小麦フスマ及び／又は末粉を含有する生分解性プラスチック組成物であり、生分解性プラスチック並びに目開き２２０μｍの篩を通過する粒子の含有率が８０質量％以上で且つ水分含量率が１０質量％以下である小麦フスマ及び／又は末粉を含有する生分解性プラスチック組成物、前記生分解性プラスチック組成物よりなる成形体、並びに前記生分解性プラスチック組成物の層と小麦フスマ及び／又は末粉を含有しない生分解性プラスチックの層を有する積層体では、主として農業用等のフィルムシートを製造する技術であり、小麦フスマを目開き２２０μｍの篩を通過する粒子に加工するためにはコストがかかるものである。
【課題を解決するための手段】
【０００８】
本考案は、前述の課題に鑑み、鋭意研鑽の結果、法事等の仏教行事に用いる板塔婆であって、澱粉粉末を主成分とし、澱粉粉末に乳酸類を添加させて自然界で３ヶ月乃至６ヶ月で分解するポリ乳酸樹脂で板塔婆を成型したものであり、更に、板塔婆の表面に木目模様を設けたものであり、更には、澱粉粉末又は乳酸類に木の香り成分を添加したものである。
【考案の効果】
【０００９】
本考案のポリ乳酸樹脂製板塔婆は、太陽と水と土等の自然界から生産される植物であるトウモロコシ、小麦、芋等の澱粉と、自然界に存在するヨーグルト、糠漬け等に多量に含まれる乳酸類とにより、板塔婆を成型したものであり、その処理は自然界において３ヶ月乃至６ヶ月で微生物により分解するもので、環境に優しく処理が容易なもので、更に、板塔婆の表面に木目模様を設け、澱粉粉末又は乳酸類に木の香り成分を添加したもので、古来からの木製の塔婆感覚で使用することができ、極めて実用的な考案である。
【考案を実施するための最良の形態】
【００１０】
以下、本考案のポリ乳酸樹脂製板塔婆の実施例の図面によって具体的に説明すると、図１は本考案のポリ乳酸樹脂製板塔婆の実施例の正面図である。
【００１１】
本考案は、法事等の仏教行事の時にお墓の側に立てかける木製の板塔婆に代わるポリ乳酸樹脂製板塔婆に関するものであり、更に詳細には、亡き人の法事等の仏教行事の時にお墓に立てかけて供養するための板塔婆を使用後に短期間で分解させて廃棄するポリ乳酸樹脂製板塔婆に関するものであり、請求項１に記載のポリ乳酸樹脂製板塔婆は、法事等の仏教行事に用いる板塔婆１であって、澱粉粉末を主成分とし、該澱粉粉末に乳酸類を添加させて自然界で３ヶ月乃至６ヶ月で分解するポリ乳酸樹脂で板塔婆１を成型したことを特徴とするものである。
【００１２】
更に、請求項２に記載のポリ乳酸樹脂製板塔婆は、請求項１に記載のポリ乳酸樹脂製板塔婆において、前記板塔婆１の表面に木目模様１ａを設けたことを特徴とするものである。
【００１３】
更には、請求項３に記載のポリ乳酸樹脂製板塔婆は、請求項１又は請求項２に記載のポリ乳酸樹脂製板塔婆において、前記澱粉粉末又は乳酸類に木の香り成分を添加したことを特徴とするものである。
【実施例】
【００１４】
即ち、本考案のポリ乳酸樹脂製板塔婆１に用いる澱粉粉末は、太陽と水と土等の自然界から生産されるトウモロコシ、小麦、芋等の植物から精製される澱粉であり、該澱粉は乾燥させて粉砕することで容易に粉末状になるものである。
【００１５】
次に、乳酸類は乳酸菌によって作られるもので、更に詳細には、人間の体内にも存在する天然の有機化合物であって、工業的には、澱粉を原料に乳酸菌酵素に分解させて作られるものである。
【００１６】
更に、本考案のポリ乳酸樹脂製板塔婆１は、前述の澱粉粉末を主成分として、前述の乳酸類を添加させて板状の下端を楔状に尖らせ、上端辺の両側にくの字状の切り込みを入れた平板状の状態に成型固化するものである。
【００１７】
この様にして成型したポリ乳酸樹脂製板塔婆１は、使用後は土中や水中の自然界に放置することにより、３ヶ月乃至６ヶ月で微生物により水や二酸化炭素に分解されて自然に還されるものである。
【００１８】
更に、前記板塔婆の表面に木目模様１ａを設けたことにより、古来から用いられている木製の板塔婆１と見られるものである。
【００１９】
更には、前記澱粉粉末又は乳酸類に木の香り成分を添加したことにより、実際に触れても木の香りがして木製の板塔婆１として用いることができるものである。
【産業上の利用可能性】
【００２０】
本考案のポリ乳酸樹脂製板塔婆は、ポリ乳酸樹脂により板塔婆を成型したもので、自然界に放置することにより６ヶ月以内で分解して自然に還されるもので、環境に優しい板塔婆であり、更に、木製感覚で用いられる板塔婆を提供するものである。
【図面の簡単な説明】
【００２１】
【図１】図１は本考案のポリ乳酸樹脂製板塔婆の実施例の正面図である。
【符号の説明】
【００２２】
１      板塔婆
１ａ    木目模様
【図１】
0003122610.tif 000003